(57)【要約】【課題】  本発明は携帯端末で検索結果を表示する方法及び装置を提供する。【解決手段】  前記方法は、検索要求を送信するステップと、ローカルアプリケーションの呼び出し識別子を含む検索結果を受信するステップと、呼び出し識別子に基づいて、携帯端末におけるローカルアプリケーションを呼び出すとともに、ローカルアプリケーションによって検索結果を表示するステップとを含む。本発明実施形態の方法は、ローカルアプリケーションを利用して携帯端末の検索結果を表示することによって、検索結果がより直感的に表示され、表示効果がよりよくなり、携帯端末の検索結果に対する処理能力を向上させる。【選択図】図１
2016520234.tif 000002
【特許請求の範囲】
【請求項１】
検索要求を送信するステップと、
ローカルアプリケーションの呼び出し識別子を含む検索結果を受信するステップと、
前記呼び出し識別子に基づいて、携帯端末におけるローカルアプリケーションを呼び出すとともに、前記ローカルアプリケーションによって前記検索結果を表示するステップと
を含むことを特徴とする携帯端末で検索結果を表示する方法。
【請求項２】
検索要求を受信するステップと、
ローカルアプリケーションの呼び出し識別子を含む検索結果を生成するステップと、
前記検索結果を携帯端末に送信して、前記携帯端末は、前記呼び出し識別子に基づいて、ローカルアプリケーションを呼び出すとともに、前記ローカルアプリケーションによって前記検索結果を表示するステップと
を含むことを特徴とする携帯端末で検索結果を表示する方法。
【請求項３】
前記ローカルアプリケーションの呼び出し識別子を含む検索結果を生成するステップは、
前記検索結果のタイプ情報を取得するステップと、
前記タイプ情報が予め設定されたタイプ情報である場合には、前記検索結果において前記呼び出し識別子を添加して、ローカルアプリケーションの呼び出し識別子を含む前記検索結果を生成するステップと
を含むことを特徴とする請求項２に記載の方法。
【請求項４】
前記検索要求は、更に、前記携帯端末の識別情報を含み、
前記識別情報は、前記携帯端末のローカルアプリケーションリストに対応し、
前記検索結果においてローカルアプリケーションの呼び出し識別子を添加することは、
前記ローカルアプリケーションリストにおいて、前記タイプ情報に対応する前記ローカルアプリケーションを探し出すステップと、
対応する前記ローカルアプリケーションが探し出された場合には、前記ローカルアプリケーションに基づいて前記検索結果において前記呼び出し識別子を添加するステップと
を含むことを特徴とする請求項３に記載の方法。
【請求項５】
対応する前記ローカルアプリケーションが探し出さない場合には、前記タイプ情報に基づいて前記検索結果においてアプリケーションの推奨情報を添加するステップを更に含むことを特徴とする請求項４に記載の方法。
【請求項６】
検索要求を送信するように構成された送信モジュールと、
ローカルアプリケーションの呼び出し識別子を含む検索結果を受信するように構成された受信モジュールと、
前記呼び出し識別子に基づいて、携帯端末におけるローカルアプリケーションを呼び出すとともに、前記ローカルアプリケーションによって前記検索結果を表示するように構成された呼び出すモジュールと
を含むことを特徴とする携帯端末で検索結果を表示する装置。
【請求項７】
検索要求を受信するように構成された受信モジュールと、
ローカルアプリケーションの呼び出し識別子を含む検索結果を生成するように構成された生成モジュールと、
携帯端末が前記呼び出し識別子に基づいて、ローカルアプリケーションを呼び出すとともに、前記ローカルアプリケーションによって前記検索結果を表示するために、前記検索結果を携帯端末に送信するように構成された送信モジュールと
を含むことを特徴とする携帯端末で検索結果を表示する装置。
【請求項８】
前記生成モジュールは、
前記検索結果のタイプ情報を取得するように構成された取得ユニットと、
前記タイプ情報が予め設定されたタイプ情報である場合には、前記検索結果において前記呼び出し識別子を添加して、ローカルアプリケーションの呼び出し識別子を含む前記検索結果を生成するように構成された添加ユニットと
を含むことを特徴とする請求項７に記載の装置。
【請求項９】
前記検索要求は、更に、前記携帯端末の識別情報を含み、
前記識別情報は、前記携帯端末のローカルアプリケーションリストに対応し、
前記添加ユニットは、更に、前記ローカルアプリケーションリストにおいて、前記タイプ情報に対応する前記ローカルアプリケーションを探し出し、対応する前記ローカルアプリケーションが探し出された場合には、前記ローカルアプリケーションに基づいて前記検索結果において前記呼び出し識別子を添加するように構成されている
ことを特徴とする請求項８に記載の装置。
【請求項１０】
前記添加ユニットは、更に、対応する前記ローカルアプリケーションが探し出さない場合には、前記タイプ情報に基づいて前記検索結果においてアプリケーションの推奨情報を添加するように構成されている
ことを特徴とする請求項９に記載の装置。
【請求項１１】
コンピュータに、請求項１に記載の携帯端末で検索結果を表示する方法を実行させるプログラムを記憶したことを特徴とする記憶媒体。
【請求項１２】
コンピュータに、請求項２〜５のいずれか一項に記載の携帯端末で検索結果を表示する方法を実行させるプログラムを記憶したことを特徴とする記憶媒体。
【発明の詳細な説明】
【技術分野】
【０００１】
（関連出願の相互参照）
【０００２】
本出願は、百度オンライン網絡技術（北京）有限公司が２０１３年１２月１１日に提出し、発明名称が「携帯端末で検索結果を表示する方法及び装置」で、中国特許出願番号が「２０１３１０６７６６３３．Ｘ」の優先権を主張する。
【０００３】
本発明は、モバイルインターネット技術分野に関し、特に携帯端末で検索結果を表示する方法及び装置に関する。
【背景技術】
【０００４】
モバイルインターネット技術の発展に伴い、ユーザーが携帯端末を利用してＷＡＰ（Ｗｉｒｅｌｅｓｓ  Ａｐｐｌｉｃａｔｉｏｎ  Ｐｒｏｔｏｃｏｌ、ワイヤレス  アプリケーション  プロトコル）検索を行うことは、ますます広くなっている。通常、ユーザーはブラウザ系アプリアプリケーションを利用してＷＡＰ検索を行う場合には、ブラウザ系アプリアプリケーションによって検索結果を処理する。例えば、ＪＳ（ＪａｖａＳｃｒｉｐｔ（登録商標）、クライアントのウェブページ開発に広く用いられるスクリプト言語）、ＡＪＡＸ（Ａｓｙｎｃｈｒｏｎｏｕｓ  ＪａｖａＳｃｒｉｐｔ（登録商標）  ａｎｄ  ＸＭＬ、対話型ウェブアプリケーションを構築するウェブページ開発技術）、ＨＴＭＬ５（Ｈｙｐｅｒｔｅｘｔ  Ｍａｒｋｕｐ  Ｌａｎｇｕａｇｅ  ５、ハイパーテキストマークアップ言語の一種の標準バージョン）などの技術を利用してビデオや音楽の再生、画像や地図、ニュースなどの閲覧を行うことができる。
【０００５】
しかし、現在の主要な問題点が以下の通りである。ブラウザ系アプリアプリケーションの制限のため、たくさんの検索結果は表示される場合には、携帯端末の性能を十分に引き出さない。従って、検索結果の処理効果が良くなく、処理能力が足りなく、表示効果が理想的ではなく、ユーザー体験が悪くなる。
【先行技術文献】
【非特許文献】
【０００６】
【非特許文献１】石川  憲洋、外３名、“次世代ＷＡＰ（ＷＡＰ２．０）特集  プロトコル技術”、[online]、NTT DoCoMo テクニカルジャーナル Vol.9 No3、［平成２７年１２月２８日検索］、インターネット<https://www.jpo.go.jp/shiryou/kijun/kijun2/pdf/tjkijun_i-3.pdf>
【発明の概要】
【発明が解決しようとする課題】
【０００７】
本発明は、少なくとも１つの上述の技術問題点を解決することを趣旨とする。
【０００８】
そのため、本発明は、携帯端末で検索結果を表示する方法を提出することを、一つ目の目的とする。当該方法は、ローカルアプリケーションを利用して検索結果を表示することによって、検索結果がより直感的に表示され、表示効果がよりよくなり、携帯端末の検索結果に対する処理能力を向上させる。
【０００９】
本発明は別の携帯端末で検索結果を表示する方法を提供することを二つ目の目的とする。
【００１０】
本発明は携帯端末で検索結果を表示する装置を提供することを三つ目の目的とする。
【００１１】
本発明は別の携帯端末で検索結果を表示する装置を提供することを四つ目の目的とする。
【００１２】
本発明は記憶媒体を提供することを五つ目の目的とする。
【００１３】
本発明は別の記憶媒体を提供することを六つ目の目的とする。
【課題を解決するための手段】
【００１４】
前記目的を達成するために、本発明の第一方面の実施形態に係る携帯端末で検索結果を表示する方法は、検索要求を送信するステップと、ローカルアプリケーションの呼び出し識別子を含む検索結果を受信するステップと、前記呼び出し識別子に基づいて、携帯端末におけるローカルアプリケーションを呼び出すとともに、前記ローカルアプリケーションによって前記検索結果を表示するステップとを含む。
【００１５】
本発明の実施形態に係る携帯端末で検索結果を表示する方法によれば、検索結果には、呼び出し識別子を含むため、携帯端末が呼び出し識別子に基づいて、ローカルアプリケーションを呼び出して検索結果を表示し、ローカルアプリケーションの情報処理能力が高いため、検索結果の処理効果を高め、携帯端末の検索結果に対する処理能力を向上させ、検索結果がより直感的に表示され、表示効果がよりよくなり、ユーザー体験を向上させる。
【００１６】
前記目的を達成するために、本発明の第二方面の実施形態に係る携帯端末で検索結果を表示する方法は、検索要求を受信するステップと、ローカルアプリケーションの呼び出し識別子を含む検索結果を生成するステップと、前記検索結果を携帯端末に送信して、前記携帯端末は、前記呼び出し識別子に基づいて、ローカルアプリケーションを呼び出すとともに、前記ローカルアプリケーションによって前記検索結果を表示するステップとを含む。
【００１７】
本発明の実施形態に係る携帯端末で検索結果を表示する方法によれば、呼び出し識別子を含む検索結果を生成することによって、携帯端末が呼び出し識別子に基づいて、ローカルアプリケーションを呼び出して検索結果を表示し、ローカルアプリケーションの情報処理能力が高いため、検索結果の処理効果を高め、携帯端末の検索結果に対する処理能力を向上させ、検索結果がより直感的に表示され、表示効果がよりよくなり、ユーザー体験を向上させる。
【００１８】
前記目的を達成するために、本発明の第三方面の実施形態に係る携帯端末で検索結果を表示する装置は、検索要求を送信するように構成された送信モジュールと、ローカルアプリケーションの呼び出し識別子を含む検索結果を受信するように構成された受信モジュールと、前記呼び出し識別子に基づいて、携帯端末におけるローカルアプリケーションを呼び出すとともに、前記ローカルアプリケーションによって前記検索結果を表示するように構成された呼び出すモジュールとを含む。
【００１９】
本発明の実施形態に係る携帯端末で検索結果を表示する装置によれば、検索結果には、呼び出し識別子を含むため、携帯端末が呼び出し識別子に基づいて、ローカルアプリケーションを呼び出して検索結果を表示し、ローカルアプリケーションの情報処理能力が高いため、検索結果の処理効果を高め、携帯端末の検索結果に対する処理能力を向上させ、検索結果がより直感的に表示され、表示効果がよりよくなり、ユーザー体験を向上させる。
【００２０】
前記目的を達成するために、本発明の第四方面の実施形態に係る携帯端末で検索結果を表示する装置は、検索要求を受信するように構成された受信モジュールと、ローカルアプリケーションの呼び出し識別子を含む検索結果を生成するように構成された生成モジュールと、携帯端末が前記呼び出し識別子に基づいて、ローカルアプリケーションを呼び出すとともに、前記ローカルアプリケーションによって前記検索結果を表示するために、前記検索結果を携帯端末に送信するように構成された送信モジュールとを含む。
【００２１】
本発明の実施形態に係る携帯端末で検索結果を表示する装置によれば、呼び出し識別子を含む検索結果を生成することによって、携帯端末が呼び出し識別子に基づいて、ローカルアプリケーションを呼び出して検索結果を表示し、ローカルアプリケーションの情報処理能力が高いため、検索結果の処理効果を高め、携帯端末の検索結果に対する処理能力を向上させ、検索結果がより直感的に表示され、表示効果がよりよくなり、ユーザー体験を向上させる。
【００２２】
本発明の第五方面の実施形態は、コンピュータに、本発明の第一方面の実施形態に記載の携帯端末で検索結果を表示する方法を実行させるプログラムを記憶する記憶媒体を提供する。
【００２３】
本発明の第六方面の実施形態は、コンピュータに、本発明の第二方面の実施形態に記載の携帯端末で検索結果を表示する方法を実行させるプログラムを記憶する記憶媒体を提供する。
【００２４】
本発明の付加の方面及び利点が下記の説明において部分的に表れられ、一部が下記の説明より明らかとなり、或は本発明の実行より了解できる。
【図面の簡単な説明】
【００２５】
本発明の上述及び／或いは付加的方面とメリットは、下記の図面を結合した実施形態に対する説明において、明らかになり、理解されることが容易になる。
【図１】本発明の一つの実施形態による携帯端末で検索結果を表示する方法のフローチャートである。
【図２】本発明の別の実施形態による携帯端末で検索結果を表示する方法のフローチャートである。
【図３】本発明のもう一つの実施形態による携帯端末で検索結果を表示する方法のフローチャートである。
【図４】本発明のもう一つの実施形態による携帯端末で検索結果を表示する方法のフローチャートである。
【図５】本発明の一つの実施形態による携帯端末で検索結果を表示する装置のブロック図である。
【図６】本発明の別の実施形態による携帯端末で検索結果を表示する装置のブロック図である。
【図７】本発明のもう一つの実施形態による携帯端末で検索結果を表示する装置のブロック図である。
【発明を実施するための形態】
【００２６】
以下に、本発明の実施形態を詳細に説明する。前記実施形態の実例が図面において示されるが、一貫して同一または類似する符号は、相同又は類似の部品、或いは、相同又は類似の機能を有する部品を表す。以下に、図面を参照しながら説明される実施形態が例示性のものであり、本発明を解釈するためだけに用いられるものであって、本発明を制限するように理解されてはならない。
【００２７】
本発明に対する説明において、用語である「第一」、「第二」は説明のためだけに用いられるものであり、比較的な重要性を指示又は暗示すると理解してはいけない。本発明に対する説明において、明確な規定と限定がない限り、用語である「互いに接続」、「接続」の意味は広く理解されるべきである。例えば、固定接続や、着脱可能な接続や、または一体的な接続でも可能である。機械的な接続や、または電気接続でも可能である。直接的に接続することや、中間媒体によって間接的に接続することも可能である。当業者にとって、具体的な状況に応じて上記用語の本発明中の具体的な意味を理解することができる。なお、本発明に対する説明において、明確且つ具体的な限定がない限り、「複数」とは、二つ又は二つ以上のことを意味する。
【００２８】
フローチャートまたは他の方式で説明したいかなる過程や方法は、一つまたは複数の、特定ロジック性能または過程のステップの実行できるコマンドのコードのモジュール、セクターあるいは部分を含む。本発明の望ましい実施方式の範囲は、他の実現を含み、表示または討論の順序に従わなくてもよい。述べられた機能に基づいて基本的に同様な方式または逆の順序で、その機能を実行することができる。これは、本発明実施形態の当業者に理解される。
【００２９】
現在では、通常、ユーザーは携帯端末においてブラウザ系アプリケーションを利用してＷＡＰ検索を行うとともに、ブラウザ系アプリケーションによって検索結果を処理する。しかしながら、ブラウザ系アプリケーションの制限のため、たくさんの検索結果が表示される場合には、携帯端末の性能を十分に引き出さない。従って、検索結果の処理効果が良くなく、処理能力が足りなく、表示効果が理想的ではなく、ユーザー体験が悪くなる。ローカルアプリケーションによって検索結果が表示されることができれば、検索結果の処理効果を高め、携帯端末の検索結果に対する処理能力を向上させ、検索結果がより直感的に表示され、表示効果がよりよくなることができる。このため、本発明は、携帯端末で検索結果を表示する方法及び装置を提出し、以下に、図面を参照しながら、詳細に説明する。
【００３０】
携帯端末で検索結果を表示する方法は、検索要求を送信するステップと、ローカルアプリケーションの呼び出し識別子を含む検索結果を受信するステップと、呼び出し識別子に基づいて、携帯端末におけるローカルアプリケーションを呼び出すとともに、ローカルアプリケーションによって検索結果を表示するステップとを含む。
【００３１】
図１は本発明の一つの実施形態による携帯端末で検索結果を表示する方法のフローチャートである。
【００３２】
図１に示したように、携帯端末で検索結果を表示する方法は、ステップＳ１０１と、ステップＳ１０２と、ステップＳ１０３とを含む。
【００３３】
ステップＳ１０１において、検索要求を送信する。
【００３４】
具体的には、ユーザーは、携帯端末によってサーバーに検索要求を送信する。例えば、ユーザーは携帯端末にインストールされたブラウザ系アプリケーションによって検索エンジンサーバーに検索要求を送信する。そのうち、検索要求において、検索語を含む。本発明の実施形態において、携帯端末は、例えば、携帯電話やタブレットコンピューター、パーソナル・デジタル・アシスタント、電子書籍などのようなさまざまな操作システムを含むハードウェアデバイスである。
【００３５】
ステップＳ１０２において、ローカルアプリケーションの呼び出し識別子を含む検索結果を受信する。
【００３６】
例えば、検索エンジンサーバーは、検索要求を取得した後に、検索語に基づいて検索して対応する検索結果を取得する。当該検索結果はローカルアプリケーションの呼び出し識別子を更に含む。
【００３７】
ステップＳ１０３において、呼び出し識別子に基づいて、携帯端末におけるローカルアプリケーションを呼び出すとともに、ローカルアプリケーションによって検索結果を表示する。
【００３８】
具体的には、ローカルアプリケーション、即ちネイティブアプリケーション（ｎａｔｉｖｅ  ａｐｐｌｉｃａｔｉｏｎ）とは、携帯端末操作システムに基づく第三者アプリケーションである。携帯端末のユーザーはローカルアプリケーショを利用して情報の探し出し、オーディオの再生、ビデオの閲覧などを行うことができる。ローカルアプリケーションはネットワークアプリケーション即ちウェブアプリケーションに対し、ウェブアプリケーションは、ネットワーキングによって情報を取得することができるが、ネイティブアプリケーションはネットワーキングが必要ではなく、携帯端末のローカルで実行される。また、呼び出し識別子は、ローカルアプリケーションと関連する識別子であり、当該識別子によって携帯端末はローカルアプリケーションを呼び出すことができる。例えば、検索結果がビデオ系の検索結果である場合には、携帯端末は、対応する呼び出し識別子に基づいて対応するビデオプレーヤーを呼び出すことができる。
【００３９】
本発明の一つの実施形態において、呼び出し識別子に基づいて携帯端末におけるローカルアプリケーションを呼び出すことは、具体的には、以下の通りである。検索結果には呼び出し識別子を含む場合には、携帯端末はローカルサービスに呼び出し命令を送信する。そのうち、呼び出し命令は、呼び出し識別子を含む。携帯端末は呼び出し命令に基づいて対応するローカルアプリケーションを起動するとともに、検索結果をローカルアプリケーションに伝送して表示処理を行う。具体的には、サーバーは、検索結果を取得した後に、ローカルアプリケーションの呼び出し識別子を検索結果に添加するとともに、携帯端末に提供し、携帯端末が呼び出し識別子に基づいて携帯端末のローカルサービスに呼び出し識別子を含む呼び出し命令を送信する。そのうち、ローカルサービスが携帯端末に含まれており、Ｗｅｂサービスに類似し、各ローカルアプリケーションが当該サービスを共有し、携帯端末には複数のサービスが含まれている場合には、最新バージョンのサービスを主として呼び出す。例えば、携帯端末には、ビデオ系、音楽系及び画像閲覧系のローカルアプリケーションがインストールされており、それぞれ１．０、２．０及び３．０サービスを統合する場合には、携帯端末のバックグラウンドでは、画像閲覧系の３．０サービスのみが実行されてウェブページと通信し、ビデオ系及び音楽系のローカルアプリケーションが３．０サービスを共有する。次に、携帯端末は当該サービスによって呼び出し命令に基づいて対応するローカルアプリケーションを起動するとともに、当該サービスによって検索結果をローカルアプリケーションに伝送して表示処理を行う。例えば、携帯端末は当該サービスにより検索結果に対応するページのデータをＨＴＴＰ（Ｈｙｐｅｒｔｅｘｔ  Ｔｒａｎｓｆｅｒ  Ｐｒｏｔｏｃｏｌ、ハイパーテキスト転送プロトコル）に従ってローカルアプリケーションに伝送し、ローカルアプリケーションが伝送された検索結果に対して表示処理を直接に行う。
【００４０】
本発明の実施形態に係る携帯端末で検索結果を表示する方法によれば、検索結果には、呼び出し識別子を含むため、携帯端末が呼び出し識別子に基づいて、ローカルアプリケーションを呼び出して検索結果を表示し、ローカルアプリケーションの情報処理能力が高いため、検索結果の処理効果を高め、携帯端末の検索結果に対する処理能力を向上させ、検索結果がより直感的に表示され、表示効果がよりよくなり、ユーザー体験を向上させる。
【００４１】
本発明の実施形態は、別の携帯端末で検索結果を表示する方法を更に提供する。以下に、図面を参照しながら、詳細に説明する。
【００４２】
携帯端末で検索結果を表示する方法は、検索要求を受信するステップと、ローカルアプリケーションの呼び出し識別子を含む検索結果を生成するステップと、検索結果を携帯端末に送信して、携帯端末は、呼び出し識別子に基づいて、ローカルアプリケーションを呼び出すとともに、ローカルアプリケーションによって検索結果を表示するステップとを含む。
【００４３】
図２は、本発明の別の携帯端末で検索結果を表示する方法のフローチャートである。図２に示したように、携帯端末で検索結果を表示する方法は、ステップＳ２０１と、ステップＳ２０２と、ステップＳ２０３とを含む。
【００４４】
ステップＳ２０１において、検索要求を受信する。
【００４５】
具体的には、ユーザーは、携帯端末によってサーバーに検索要求を送信する。例えば、ユーザーは携帯端末にインストールされたブラウザ系アプリケーションによって検索エンジンサーバに検索要求を送信する。そのうち、検索要求において、検索語を含む。本発明の実施形態において、携帯端末は、例えば、携帯電話やタブレットコンピューター、パーソナル・デジタル・アシスタント、電子書籍などのようなさまざまな操作システムを含むハードウェアデバイスである。
【００４６】
ステップＳ２０２において、ローカルアプリケーションの呼び出し識別子を含む検索結果を生成する。
【００４７】
例えば、検索エンジンサーバーは、検索要求を取得した後に、検索語に基づいて検索して対応する検索結果を取得し、当該検索結果においてローカルアプリケーションの呼び出し識別子を添加する。
【００４８】
ステップＳ２０３において、検索結果を携帯端末に送信する。そのうち、携帯端末は、呼び出し識別子に基づいて、ローカルアプリケーションを呼び出すとともに、ローカルアプリケーションによって検索結果を表示する。
【００４９】
具体的には、ローカルアプリケーション、即ちネイティブアプリケーション（ｎａｔｉｖｅ  ａｐｐｌｉｃａｔｉｏｎ）とは、携帯端末操作システムに基づく第三者アプリケーションである。携帯端末のユーザーはローカルアプリケーショを利用して情報の探し出し、オーディオの再生、ビデオの閲覧などを行うことができる。ローカルアプリケーションはネットワークアプリケーション即ちウェブアプリケーションに対し、ウェブアプリケーションは、ネットワーキングによって情報を取得することができるが、ネイティブアプリケーションはネットワーキングが必要ではなく、携帯端末のローカルで実行される。また、呼び出し識別子は、ローカルアプリケーションと関連する識別子であり、当該識別子によって携帯端末はローカルアプリケーションを呼び出すことができる。例えば、検索結果がビデオ系の検索結果である場合には、携帯端末は、対応する呼び出し識別子に基づいて対応するビデオプレーヤーを呼び出すことができる。
【００５０】
本発明の一つの実施形態において、呼び出し識別子に基づいて携帯端末におけるローカルアプリケーションを呼び出すことは、具体的には、以下の通りである。検索結果には呼び出し識別子を含む場合には、携帯端末はローカルサービスに呼び出し命令を送信する。そのうち、呼び出し命令は、呼び出し識別子を含む。携帯端末は呼び出し命令に基づいて対応するローカルアプリケーションを起動するとともに、検索結果をローカルアプリケーションに伝送して表示処理を行う。具体的には、サーバーは、検索結果を取得した後に、ローカルアプリケーションの呼び出し識別子を検索結果に添加するとともに、携帯端末に提供し、携帯端末が呼び出し識別子に基づいて携帯端末のローカルサービスに呼び出し識別子を含む呼び出し命令を送信する。そのうち、ローカルサービスが携帯端末に含まれており、Ｗｅｂサービスに類似し、各ローカルアプリケーションが当該サービスを共有し、携帯端末には複数のサービスが含まれている場合には、最新バージョンのサービスを主として呼び出す。例えば、携帯端末には、ビデオ系、音楽系及び画像閲覧系のローカルアプリケーションがインストールされており、それぞれ１．０、２．０及び３．０サービスを統合する場合には、携帯端末のバックグラウンドでは、画像閲覧系の３．０サービスのみが実行されてウェブページと通信し、ビデオ系及び音楽系のローカルアプリケーションが３．０サービスを共有する。次に、携帯端末は当該サービスによって呼び出し命令に基づいて対応するローカルアプリケーションを起動するとともに、当該サービスによって検索結果をローカルアプリケーションに伝送して表示処理を行う。例えば、携帯端末は当該サービスにより検索結果に対応するページのデータをＨＴＴＰに従ってローカルアプリケーションに伝送し、ローカルアプリケーションが伝送された検索結果に対して表示処理を直接に行う。
【００５１】
本発明の実施形態に係る携帯端末で検索結果を表示する方法によれば、呼び出し識別子を含む検索結果を生成することによって、携帯端末が呼び出し識別子に基づいて、ローカルアプリケーションを呼び出して検索結果を表示し、ローカルアプリケーションの情報処理能力が高いため、検索結果の処理効果を高め、携帯端末の検索結果に対する処理能力を向上させ、検索結果がより直感的に表示され、表示効果がよりよくなり、ユーザー体験を向上させる。
【００５２】
検索結果を便利且つ正確に表示するために、検索結果に呼び出し識別子を狙い通りに添加する必要がある。そのうち、ウェブページ系の検索結果は、ローカルアプリケーションの呼び出しが必要ではなく、表示されることができる。図３は、本発明のもう一つの実施形態による携帯端末で検索結果を表示する方法のフローチャートである。
【００５３】
図３に示したように、携帯端末で検索結果を表示する方法は、ステップＳ３０１と、ステップＳ３０２と、ステップＳ３０３と、ステップＳ３０４とを含む。
【００５４】
ステップＳ３０１において、検索要求を受信する。
【００５５】
ステップＳ３０２において、検索結果のタイプ情報を取得する。
【００５６】
具体的には、検索語に基づいて検索結果を取得した後に、まず、検索結果のタイプ情報を取得し、例えば、タイプ情報は、ビデオ系、音楽系または画像系などを含む。もっと具体的には、ウェブページのタグに基づいてタイプ情報を取得してもよく、ウェブページのスクリプトアプリケーションに基づいてタイプ情報を取得してもよい。タイプ情報を取得する過程は、具体的なウェブページに基づいて決めることができ、ここで限定されない。
【００５７】
ステップＳ３０３において、タイプ情報が予め設定されたタイプ情報である場合には、検索結果において呼び出し識別子を添加する。
【００５８】
具体的には、検索結果のタイプ情報を取得し、タイプ情報が予め設定されたタイプ情報であるか否かを判定する。そのうち、予め設定されたタイプ情報は、例えば、ビデオ系、音楽系または画像系などであることができる。検索結果のタイプ情報が予め設定されたタイプ情報である場合には、検索結果において呼び出し識別子を添加する。即ち、予め設定されたタイプ情報の検索結果は、ローカルアプリケーションを利用して開かれるまたは表示されることができる。
【００５９】
そのうち、タイプ情報が予め設定されたタイプ情報ではないと判定された場合には、検索結果において呼び出し識別子を添加する必要がない。
【００６０】
ステップＳ３０４において、検索結果を携帯端末に送信する。そのうち、携帯端末は、呼び出し識別子に基づいてローカルアプリケーションを呼び出すとともに、ローカルアプリケーションによって検索結果を表示する。
【００６１】
本発明の実施形態に係る携帯端末で検索結果を表示する方法によれば、検索結果のタイプ情報が予め設定されたタイプ情報である場合には、当該検索結果に対して呼び出し識別子を添加することによって、検索結果に基づいてローカルアプリケーションを呼び出すことは狙い通りになり、検索結果の処理能力を向上させ、検索結果がより直感的に表示され、表示効果がよりよくなる。
【００６２】
呼び出し識別子を添加する場合には、携帯端末において対応するローカルアプリケーションはインストールされない可能性があり、即ち、サーバーは携帯端末においてローカルアプリケーションのインストール状況を了解しないため、より正確な呼び出し識別子を提供できない。検索結果に基づいてローカルアプリケーションを呼び出す信頼性を向上するために、携帯端末は、検索結果を送信する場合には、携帯端末の識別情報をサーバーに送信することもできて、サーバーが移動端末を一意に決めることができる。本発明の一つの実施形態において、検索要求は、携帯端末の識別情報をさらに含む。そのうち、識別情報は、携帯端末のローカルアプリケーションリストに対応する。そのうち、ローカルアプリケーションリストにおいて、携帯端末にインストールされたローカルアプリケーションの名称及び対応するタイプなどを含む。図４は、本発明のもう一つの実施形態による携帯端末で検索結果を表示する方法のフローチャートである。
【００６３】
図４に示したように、携帯端末で検索結果を表示する方法は、ステップＳ４０１と、ステップＳ４０２と、ステップＳ４０３と、ステップＳ４０４とを含む。
【００６４】
ステップＳ４０１において、検索要求を受信する。
【００６５】
ステップＳ４０２において、検索結果のタイプ情報を取得する。
【００６６】
ステップＳ４０３において、タイプ情報が予め設定されたタイプ情報である場合には、ローカルアプリケーションリストにおいて、タイプ情報に対応するローカルアプリケーションを探し出す。
【００６７】
本発明の一つの実施形態において、検索要求は携帯端末の識別情報をさらに含む。そのうち、識別情報は携帯端末のローカルアプリケーションリストに対応する。
【００６８】
ステップＳ４０４において、対応するローカルアプリケーションが探し出された場合には、ローカルアプリケーションに基づいて検索結果において呼び出し識別子を添加し、携帯端末が呼び出し識別子に基づいて携帯端末におけるローカルアプリケーションを呼び出すとともに、ローカルアプリケーションによって検索結果を表示する。
【００６９】
具体的には、サーバーは検索要求における携帯端末の唯一の識別情報に基づいて、ローカルアプリケーションリストにおいて、対応するローカルアプリケーションを探し出す。そのうち、識別情報は、携帯端末のローカルアプリケーションリストに対応する。そのうち、本発明の一つの実施形態において、ローカルアプリケーションリストは、携帯端末により予め設定された時間間隔に従ってアップロードされる。ローカルアプリケーションリストにおいて、検索結果のタイプ情報に対応するローカルアプリケーションを探し出す場合には、対応するローカルアプリケーションが探し出された場合には、ローカルアプリケーションに基づいて検索結果において呼び出し識別子を添加するとともに、結果を携帯端末に提供する。この場合には、携帯端末はローカルサービスに呼び出し識別子を含む呼び出し命令を送信する。携帯端末は呼び出し命令に基づいて対応するローカルアプリケーションを起動するとともに、検索結果をローカルアプリケーションに伝送して表示処理を行う。例えば、携帯端末は検索結果に対応するページのデータをＨＴＴＰに従ってローカルアプリケーションに伝送し、ローカルアプリケーションがそれに対して表示処理を行う。
【００７０】
本発明の一つの実施形態において、上記方法は、ローカルアプリケーションリストにおいて、対応するローカルアプリケーションが探し出さない場合には、検索結果のタイプ情報に基づいて検索結果においてアプリケーションの推奨情報を添加するステップを更に含む。この場合には、ユーザーは推奨情報に基づいて、ローカルアプリケーションをインストールし、ローカルアプリケーションをインストールした後に、ユーザーにより前にクリックされた検索結果を直ぐに開き、検索結果に対して表示処理を行う。
【００７１】
本発明の実施形態に係る携帯端末で検索結果を表示する方法によれば、携帯端末の識別情報を検索要求に含ませ、当該識別情報が携帯端末のローカルアプリケーションリストに対応し、サーバーが当該ローカルアプリケーションリストに基づいて呼び出し識別子を狙い通りに添加できる。これによって、ローカルアプリケーションは、検索結果をより正確に表示でき、ユーザー体験を向上させ、且つローカルアプリケーションが容易に普及し、商業的価値を有する。
【００７２】
上述の実施形態を実現するために、本発明は、更に、携帯端末で検索結果を表示する装置を提供する。
【００７３】
本発明の実施形態の携帯端末で検索結果を表示する装置は、検索要求を送信するように構成された送信モジュールと、ローカルアプリケーションの呼び出し識別子を含む検索結果を受信するように構成された受信モジュールと、呼び出し識別子に基づいて、携帯端末におけるローカルアプリケーションを呼び出すとともに、ローカルアプリケーションによって検索結果を表示するように構成された呼び出すモジュールとを含む。
【００７４】
図５は本発明の一つの実施形態による携帯端末で検索結果を表示する装置のブロック図である。
【００７５】
図５に示したように、携帯端末で検索結果を表示する装置は、送信モジュール１１０と、受信モジュール１２０と、呼び出すモジュールと１３０とを含む。
【００７６】
具体的には、送信モジュール１１０は、検索要求を送信するように構成されている。もっと具体的には、ユーザーは、携帯端末における送信モジュール１１０によってサーバーに検索要求を送信する。例えば、ユーザーは携帯端末にインストールされたブラウザ系アプリケーションによってサーバーに検索要求を送信する。そのうち、検索要求において、検索語を含む。本発明の実施形態において、携帯端末は、例えば、携帯電話やタブレットコンピューター、パーソナル・デジタル・アシスタント、電子書籍などのようなさまざまな操作システムを含むハードウェアデバイスである。
【００７７】
受信モジュール１２０はローカルアプリケーションの呼び出し識別子を含む検索結果を受信するように構成されている。そのうち、受信モジュール１２０は検索語を取得した後に、検索語に基づいて検索して対応する検索結果を取得する。当該検索結果はローカルアプリケーションの呼び出し識別子を更に含む。
【００７８】
呼び出すモジュールと１３０は、呼び出し識別子に基づいて、携帯端末におけるローカルアプリケーションを呼び出すとともに、ローカルアプリケーションによって検索結果を表示するように構成されている。もっと具体的には、ローカルアプリケーション、即ちネイティブアプリケーション（ｎａｔｉｖｅ  ａｐｐｌｉｃａｔｉｏｎ）とは、携帯端末操作システムに基づく第三者アプリケーションである。携帯端末のユーザーはローカルアプリケーショを利用して情報の探し出し、オーディオの再生、ビデオの閲覧などを行うことができる。ローカルアプリケーションはネットワークアプリケーション即ちウェブアプリケーションに対し、ウェブアプリケーションは、ネットワーキングによって情報を取得することができるが、ネイティブアプリケーションはネットワーキングが必要ではなく、携帯端末のローカルで実行される。また、呼び出し識別子は、ローカルアプリケーションと関連する識別子であり、当該識別子によって携帯端末はローカルアプリケーションを呼び出すことができる。例えば、検索結果がビデオ系の検索結果である場合には、携帯端末は、対応する呼び出し識別子に基づいて対応するビデオプレーヤーを呼び出すことができる。
【００７９】
そのうち、携帯端末が呼び出し識別子に基づいて携帯端末のローカルサービスに呼び出し識別子を含む呼び出し命令を送信する。ローカルサービスが携帯端末に含まれており、Ｗｅｂサービスに類似し、各ローカルアプリケーションが当該サービスを共有し、携帯端末には複数のサービスが含まれている場合には、最新バージョンのサービスを主として呼び出す。例えば、携帯端末には、ビデオ系、音楽系及び画像閲覧系のローカルアプリケーションがインストールされており、それぞれ１．０、２．０及び３．０サービスを統合する場合には、携帯端末のバックグラウンドでは、画像閲覧系の３．０サービスのみが実行されてウェブページと通信し、ビデオ系及び音楽系のローカルアプリケーションが３．０サービスを共有する。次に、携帯端末は当該サービスによって呼び出し命令に基づいて対応するローカルアプリケーションを起動するとともに、当該サービスによって検索結果をローカルアプリケーションに伝送して表示処理を行う。例えば、携帯端末は当該サービスにより検索結果に対応するページのデータをＨＴＴＰ（Ｈｙｐｅｒｔｅｘｔ  Ｔｒａｎｓｆｅｒ  Ｐｒｏｔｏｃｏｌ、ハイパーテキスト転送プロトコル）に従ってローカルアプリケーションに伝送し、ローカルアプリケーションが伝送された検索結果に対して表示処理を直接に行う。
【００８０】
本発明の実施形態に係る携帯端末で検索結果を表示する装置によれば、検索結果には、呼び出し識別子を含むため、携帯端末が呼び出し識別子に基づいて、ローカルアプリケーションを呼び出して検索結果を表示し、ローカルアプリケーションの情報処理能力が高いため、検索結果の処理効果を高め、携帯端末の検索結果に対する処理能力を向上させ、検索結果がより直感的に表示され、表示効果がよりよくなり、ユーザー体験を向上させる。
【００８１】
本発明の実施形態は、更に、別の携帯端末で検索結果を表示する装置を提供する。以下に、図面を参照しながら、詳細に説明する。
【００８２】
本発明の実施形態の携帯端末で検索結果を表示する装置は、検索要求を受信するように構成された受信モジュールと、ローカルアプリケーションの呼び出し識別子を含む検索結果を生成するように構成された生成モジュールと、携帯端末が前記呼び出し識別子に基づいて、ローカルアプリケーションを呼び出すとともに、前記ローカルアプリケーションによって前記検索結果を表示するために、検索結果を携帯端末に送信するように構成された送信モジュールとを含む。
【００８３】
図６は本発明の別の実施形態による携帯端末で検索結果を表示する装置のブロック図である。
【００８４】
図６に示したように、携帯端末で検索結果を表示する装置は、受信モジュール２１０と、生成モジュール２２０と、送信モジュール２３０とを含む。
【００８５】
具体的には、受信モジュール２１０は検索要求を受信するように構成されている。もっと具体的には、ユーザーは携帯端末によって受信モジュール２１０に検索要求を送信する。例えば、ユーザーは携帯端末にインストールされたブラウザ系アプリケーションによって検索要求を送信する。そのうち、検索要求において、検索語を含む。本発明の実施形態において、携帯端末は、例えば、携帯電話やタブレットコンピューター、パーソナル・デジタル・アシスタント、電子書籍などのようなさまざまな操作システムを含むハードウェアデバイスである。
【００８６】
生成モジュール２２０はローカルアプリケーションの呼び出し識別子を含む検索結果を生成するように構成されている。例えば、検索要求を取得した後に、検索語に基づいて検索して対応する検索結果を取得し、当該検索結果においてローカルアプリケーションの呼び出し識別子を添加する。
【００８７】
送信モジュール２３０は、携帯端末が前記呼び出し識別子に基づいて、ローカルアプリケーションを呼び出すとともに、前記ローカルアプリケーションによって前記検索結果を表示するために、検索結果を携帯端末に送信するように構成されている。
【００８８】
具体的には、ローカルアプリケーション、即ちネイティブアプリケーション（ｎａｔｉｖｅ  ａｐｐｌｉｃａｔｉｏｎ）とは、携帯端末操作システムに基づく第三者アプリケーションである。携帯端末のユーザーはローカルアプリケーショを利用して情報の探し出し、オーディオの再生、ビデオの閲覧などを行うことができる。ローカルアプリケーションはネットワークアプリケーション即ちウェブアプリケーションに対し、ウェブアプリケーションは、ネットワーキングによって情報を取得することができるが、ネイティブアプリケーションはネットワーキングが必要ではなく、携帯端末のローカルで実行される。また、呼び出し識別子は、ローカルアプリケーションと関連する識別子であり、当該識別子によって携帯端末はローカルアプリケーションを呼び出すことができる。例えば、検索結果がビデオ系の検索結果である場合には、携帯端末は、対応する呼び出し識別子に基づいて対応するビデオプレーヤーを呼び出すことができる。
【００８９】
本発明の一つの実施形態において、呼び出し識別子に基づいて携帯端末におけるローカルアプリケーションを呼び出すことは、具体的には、以下の通りである。検索結果には呼び出し識別子を含む場合には、携帯端末はローカルサービスに呼び出し命令を送信する。そのうち、呼び出し命令は、呼び出し識別子を含む。携帯端末は呼び出し命令に基づいて対応するローカルアプリケーションを起動するとともに、検索結果をローカルアプリケーションに伝送して表示処理を行う。具体的には、サーバーは、検索結果を取得した後に、ローカルアプリケーションの呼び出し識別子を検索結果に添加するとともに、携帯端末に提供し、携帯端末が呼び出し識別子に基づいて携帯端末のローカルサービスに呼び出し識別子を含む呼び出し命令を送信する。そのうち、ローカルサービスが携帯端末に含まれており、Ｗｅｂサービスに類似し、各ローカルアプリケーションが当該サービスを共有し、携帯端末には複数のサービスが含まれている場合には、最新バージョンのサービスを主として呼び出す。例えば、携帯端末には、ビデオ系、音楽系及び画像閲覧系のローカルアプリケーションがインストールされており、それぞれ１．０、２．０及び３．０サービスを統合する場合には、携帯端末のバックグラウンドでは、画像閲覧系の３．０サービスのみが実行されてウェブページと通信し、ビデオ系及び音楽系のローカルアプリケーションが３．０サービスを共有する。次に、携帯端末は当該サービスによって呼び出し命令に基づいて対応するローカルアプリケーションを起動するとともに、当該サービスによって検索結果をローカルアプリケーションに伝送して表示処理を行う。例えば、携帯端末は当該サービスにより検索結果に対応するページのデータをＨＴＴＰ（Ｈｙｐｅｒｔｅｘｔ  Ｔｒａｎｓｆｅｒ  Ｐｒｏｔｏｃｏｌ、ハイパーテキスト転送プロトコル）に従ってローカルアプリケーションに伝送し、ローカルアプリケーションが伝送された検索結果に対して表示処理を直接に行う。
【００９０】
本発明の実施形態に係る携帯端末で検索結果を表示する方法によれば、呼び出し識別子を含む検索結果を生成することによって、携帯端末が呼び出し識別子に基づいて、ローカルアプリケーションを呼び出して検索結果を表示し、ローカルアプリケーションの情報処理能力が高いため、検索結果の処理効果を高め、携帯端末の検索結果に対する処理能力を向上させ、検索結果がより直感的に表示され、表示効果がよりよくなり、ユーザー体験を向上させる。
【００９１】
図７は、本発明のもう一つの実施形態による携帯端末で検索結果を表示する装置のブロック図である。
【００９２】
図７に示したように、携帯端末で検索結果を表示する装置は、受信モジュール２１０と、生成モジュール２２０と、送信モジュール２３０と、取得ユニット２２１と、添加ユニット２２２とを含む。生成モジュール２２０は取得ユニット２２１と、添加ユニット２２２とを含む。
【００９３】
具体的には、取得ユニット２２１は、検索結果のタイプ情報を取得するように構成されている。例えば、タイプ情報は、ビデオ系、音楽系または画像系などを含む。もっと具体的には、ウェブページのタグに基づいてタイプ情報を取得してもよく、ウェブページのスクリプトアプリケーションに基づいてタイプ情報を取得してもよい。タイプ情報を取得する過程は、具体的なウェブページに基づいて決めることができ、ここで限定されない。
【００９４】
添加ユニット２２２は、タイプ情報が予め設定されたタイプ情報である場合には、検索結果において呼び出し識別子を添加するように構成されている。そのうち、予め設定されたタイプ情報は、例えば、ビデオ系、音楽系または画像系などであることができる。検索結果のタイプ情報が予め設定されたタイプ情報である場合には、検索結果において呼び出し識別子を添加する。即ち、予め設定されたタイプ情報の検索結果は、ローカルアプリケーションを利用して開かれるまたは表示されることができる。
【００９５】
本発明の一つの実施形態において、検索要求は携帯端末の識別情報をさらに含む。そのうち、識別情報は、携帯端末のローカルアプリケーションリストに対応する。添加ユニット２２２は、更に、ローカルアプリケーションリストにおいて、タイプ情報に対応するローカルアプリケーションを探し出し、対応するローカルアプリケーションが探し出された場合には、ローカルアプリケーションに基づいて検索結果において呼び出し識別子を添加するように構成されている。
【００９６】
そのうち、識別情報は、携帯端末のローカルアプリケーションリストに対応する。そのうち、本発明の一つの実施形態において、ローカルアプリケーションリストは、携帯端末により予め設定された時間間隔に従ってアップロードされる。ローカルアプリケーションリストにおいて、検索結果のタイプ情報に対応するローカルアプリケーションを探し出す場合には、対応するローカルアプリケーションが探し出された場合には、ローカルアプリケーションに基づいて検索結果において呼び出し識別子を添加するとともに、結果を携帯端末に提供する。この場合には、携帯端末はローカルサービスに呼び出し識別子を含む呼び出し命令を送信する。携帯端末は呼び出し命令に基づいて対応するローカルアプリケーションを起動するとともに、検索結果をローカルアプリケーションに伝送して表示処理を行う。例えば、携帯端末は検索結果に対応するページのデータをＨＴＴＰに従ってローカルアプリケーションに伝送し、ローカルアプリケーションがそれに対して表示処理を行う。
【００９７】
本発明の実施形態において、添加ユニット２２２は、更に、対応するローカルアプリケーションが探し出さない場合には、タイプ情報に基づいて検索結果においてアプリケーションの推奨情報を添加するように構成されている。この場合には、ユーザーは推奨情報に基づいて、ローカルアプリケーションをインストールし、ローカルアプリケーションをインストールした後に、ユーザーにより前にクリックされた検索結果を直ぐに開き、検索結果に対して表示処理を行う。
【００９８】
本発明の実施形態に係る携帯端末で検索結果を表示する装置によれば、携帯端末の識別情報を検索要求に含ませ、当該識別情報が携帯端末のローカルアプリケーションリストに対応し、サーバーが当該ローカルアプリケーションリストに基づいて呼び出し識別子を狙い通りに添加できる。これによって、ローカルアプリケーションは、検索結果をより正確に表示でき、ユーザー体験を向上させ、且つローカルアプリケーションが容易に普及し、商業的価値を有する。
【００９９】
上述の実施形態を実現するために、本発明は、コンピュータに、本発明の図１に示した実施形態に記載の携帯端末で検索結果を表示する方法を実行させるプログラムを記憶する記憶媒体を更に提供する。
【０１００】
上述の実施形態を実現するために、本発明は、コンピュータに、本発明の図２〜４のいずれか一つに示した実施形態に記載の携帯端末で検索結果を表示する方法を実行させるプログラムを記憶する記憶媒体を更に提供する。
【０１０１】
本発明の各部分は、ハードウェア、ソフトウェア、ファームウェア、またはそれらの組み合わせで実現することができる。上記実施形態において、複数のステップ又は方法は、メモリに格納され且つ適切な命令実行システムにより実行されるソフトウェアまたはファームウェアで実現することができる。例えば、ハードウェアで実現する場合、他の実施形態と同様に、当該技術分野で公知の以下の技術におけるいずれか１つ又はそれらの組み合わせで実現することができる。データ信号に論理機能を実現するための論理ゲート回路を有するディスクリート論理回路、適切な組み合わせ論理ゲート回路を有する専用集積回路、プログラマブルゲートアレイ（ＰＧＡ）、フィールドプログラマブルゲートアレイ（ＰＦＧＡ）などである。
【０１０２】
本明細書において、「一つの実施形態」、「一部の実施形態」、「示例」、「具体示例」或いは「一部の示例」など用語を参考した説明とは、該実施形態或いは示例に結合して説明された具体的特徴、構成、材料或いは特徴が、本発明の少なくとも一つの実施形態或いは示例に含まれることである。本明細書において、上記用語に対する例示的な表述は、必ずしも同じ実施形態或いは示例を示すことではない。又、説明された具体的特徴、構成、材料或いは特徴は、いずれか一つ或いは複数の実施形態又は示例において適切に結合することができる。
【０１０３】
本発明の実施形態を示して説明したが、当業者にとって理解できるのは、本発明の原理及び主旨から逸脱しない限りこれらの実施形態に対して複種の変化、補正、切り替え及び変形を行うことができる。本発明の範囲は、特許請求の範囲及びその等価物により限定される。
【図１】
2016520234.tif 000003
【図２】
2016520234.tif 000004
【図３】
2016520234.tif 000005
【図４】
2016520234.tif 000006
【図５】
2016520234.tif 000007
【図６】
2016520234.tif 000008
【図７】
2016520234.tif 000009
【国際調査報告】
2016520234.tif 000010
2016520234.tif 000011
2016520234.tif 000012
2016520234.tif 000013